(57)【要約】【課題】  初心者でも簡単迅速に正しい位置に装着できる。【解決手段】  着用者の顔面を保護する面金と、前記面金から前記着用者の両側頭部を保護するように後方へ延びる面布団と、前記面金に一端側が取り付けられ、その他端側が前記着用者の後頭部側で結ばれる少なくとも一対の面紐とを備え、前記面布団が、前記一対の面紐を結ぶ過程で当該各面紐が嵌り込む嵌合部を有しているものであってもよい。【選択図】図１
2019187760.tif 000002
【特許請求の範囲】
【請求項１】
着用者の顔面を保護する面金と、
前記面金から前記着用者の少なくとも頭頂部及び両側頭部を保護するように後方へ延びる面布団と、
前記面金に一端側が取り付けられ、その他端側が前記着用者の後頭部の後側で結ばれる少なくとも一対の面紐とを備え、
前記面布団が、前記一対の面紐を結ぶ過程で当該各面紐が嵌り込む嵌合部を有していることを特徴とする剣道用面。
【請求項２】
前記面金が、前記着用者の目の高さに位置する一対の横金によって形成される物見を有しており、
前記嵌合部が、前記面布団における前記物見の後方側に設けられている請求項１記載の剣道用面。
【請求項３】
前記嵌合部が、前記面布団における後側の縁部に設けられている請求項１又は２のいずれかに記載の剣道用面。
【請求項４】
前記嵌合部が、前記面布団における他の部分よりも柔軟性が高い部分である請求項１乃至３のいずれかに記載の剣道用面。
【請求項５】
前記面布団が、表裏の布地の間に芯材を挟んで縫合したものであり、
前記嵌合部が、前記面布団における前記芯材が挟まれていない部分である請求項１乃至４のいずれかに記載の剣道用面。
【請求項６】
前記嵌合部が、前記面布団における後方側の周縁を前方へ凹ませた部分である請求項１乃至３のいずれかに記載の剣道用面。
【発明の詳細な説明】
【技術分野】
【０００１】
本発明は、剣道用面に関するものである。
【背景技術】
【０００２】
剣道用面を着用する場合には、面紐を面布団の正しい位置に沿わせて結ばなければ、着用者の頭部に正しく装着できず、その結果、物見の位置がずれて視界が悪くなると共に、竹刀による打撃を十分に緩衝できなくなる。
【０００３】
ところで、同じ剣道用面を長年着用し続けると、面布団の正しい位置が面紐によって押圧され続け、当該正しい位置に癖が付いて窪みが形成される。これにより、剣道用面を着用する場合に、着用者が面布団に対する面紐の位置を意図的に調整しなくても、面紐を結ぶ過程でその面紐が自然とその窪みに嵌り込んで正しい位置に沿うように位置付けられる。
【０００４】
一方、初心者が着用する購入直後の剣道用面は、面布団に癖が付いていないため、剣道用面を着用する場合には、着用者が面布団に対する面紐の位置を意図的に調整する必要がある。しかし、そもそも初心者は、面布団のどの位置が正しい位置に該当するか正確に把握していないため、剣道用面を正しく装着することが極めて困難であった。
【０００５】
そこで、特許文献１には、初心者でも簡単に正しく装着できる剣道用面として、面布団に面紐を通すための案内用挿通孔を設けたものが開示されている。
【０００６】
ところが、前記特許文献１に示す剣道用面においては、着用者が剣道用面を被った状態で、面紐を結ぼうとすると、その面紐を手探りで案内用挿通孔に通す必要があり、着用に時間が掛かるという問題があった。
【先行技術文献】
【特許文献】
【０００７】
【特許文献１】実開平７−１７２７５号公報
【発明の概要】
【発明が解決しようとする課題】
【０００８】
そこで、本発明は、初心者でも簡単迅速に正しい位置に装着できる剣道用面を提供することを主な課題とするものである。
【課題を解決するための手段】
【０００９】
すなわち、本発明に係る剣道用面は、着用者の顔面を保護する面金と、前記面金から前記着用者の少なくとも頭頂部及び両側頭部を保護するように後方へ延びる面布団と、前記面金に一端側が取り付けられ、その他端側が前記着用者の後頭部の後側で結ばれる少なくとも一対の面紐とを備え、前記面布団が、前記一対の面紐を結ぶ過程で当該各面紐が嵌り込む嵌合部を有していることを特徴とするものである。
【００１０】
このようなものであれば、一対の面紐を結ぶ過程において、各面紐が自然と嵌合部に嵌り込んで面布団の正しい位置へ案内される。これにより、一般的な剣道用面と同様に一対の面紐を結ぶ作業を実行するだけで、剣道用面を簡単迅速に正しく装着できるようになる。
【００１１】
なお、前記嵌合部は、具体的には、前記面金が、前記着用者の目の高さに位置する一対の横金によって形成される物見を有する剣道用面において、前記面布団における前記物見の後方側に設ければよく、より具体的には、前記面布団における後側の縁部に設ければよい。
【００１２】
また、前記嵌合部は、前記面布団における他の部分よりも柔軟性が高い部分によって形成すればよく、具体的には、前記面布団が、表裏の布地の間に芯材を挟んで縫合したものである剣道用面において、前記面布団における前記芯材が挟まれていない部分によって形成すればよい。
【００１３】
このようなものであれば、面布団における嵌合部が、面紐に押圧された場合に他の部分よりも優先して撓んで窪んだ状態となる。これにより、一対の面紐を結ぶ過程において、各面紐が自然と嵌合部に嵌り込み、各面紐が面布団の正しい位置に沿うようになる。また、従来の一般的な剣道用面に対し、外観上変更を加えることなく、嵌合部を設けることができ、剣道用面の伝統的なデザインを損ねることもない。なお、この場合、嵌合部は、撓み部ということもできる。
【００１４】
また、前記嵌合部が、前記面布団における後方側の周縁を前方へ凹ませた部分であってもよい。
【００１５】
このようなものであれば、一対の面紐を結ぶ過程において、各面紐は面布団の後側の周縁に沿って摺動するが、この時、各面紐が嵌合部の凹みに嵌り込みずれ動かないようになる。これにより、一対の面紐を結ぶ過程において、各面紐が自然と嵌合部に嵌り込み、各面紐が面布団の正しい位置に沿うようになる。
【発明の効果】
【００１６】
このような構成の剣道用面によれば、初心者でも簡単迅速に正しい位置に装着できるようになる。
【図面の簡単な説明】
【００１７】
【図１】実施形態１に係る剣道用面を後方側から目視した状態を示す模式図である。
【図２】同実施形態に係る剣道用面を側面側から目視した状態を示す模式図である。
【図３】同実施形態に係る面布団のＡ−Ａ断面における嵌合部近傍を示す一部省略断面図である。
【図４】その他の実施形態に係る剣道用面を側面側から目視した状態を示す模式図である。
【発明を実施するための形態】
【００１８】
以下に、本発明に係る剣道用面を図面に基づいて説明する。
【００１９】
＜実施形態１＞
本実施形態に係る剣道用面１００は、図１及び図２に示すように、着用者の顔面を保護する面金１０と、面金１０に取り付けられ、着用者の頭頂部から側頭部を介して肩部までを保護する面布団２０と、面金１０に取り付けられ、着用者の後頭部の後側で結ばれる一対の面紐３０と、面金１０に取り付けられ、着用者の首（喉）を保護する垂れ４０と、を備えている。なお、本実施形態において、面金１０の外面（着用者と反対側を向く面）が向く方向を前方とし、面金１０の内面（着用者側を向く面）が向く方向を後方とする。
【００２０】
前記面金１０は、楕円形状の枠体１１と、枠体１１に対して左右方向へ架け渡された複数の横金１２と、枠体１１に対して上下方向へ架け渡された縦金１３と、を備えている。なお、面金１０には、着用者の目の高さ近傍に配置される一対の横金１２ａの隙間を他の隣り合う横金１２ｂの隙間よりも広くして形成された物見Ｘが設けられている。
【００２１】
前記面布団２０は、面金１０の枠体１１の下側を除く部分に沿って取り付けられる。具体的には、面布団２０は、図３に示すように、表裏の布地２０ａの間に、竹刀の打撃による衝撃を緩衝（吸収）する芯材２０ｂを挟んだ積層体を縫合して一体にしたものである。
【００２２】
そして、前記面布団２０は、その一部に他の部分よりも柔軟性が高い嵌合部２１（図１及び図２中、点線で囲む部分）を有している。本実施形態の嵌合部２１は、面布団２０における表裏の布地２０ａの間に芯材２０ｂが挟まっていない部分によって形成されている。すなわち、本実施形態の面布団２０においては、嵌合部２１が表裏の布地２０ａのみから構成されているのに対し、その他の部分が表裏の布地２０ａと芯材２０ｂとから構成されている。このように構成することにより、芯材２０ｂが設けられていない嵌合部２１が、芯材２０ｂが設けられている他の部分よりも芯材２０ｂがない分だけ柔軟になり、面紐３０の押圧によって他の部分よりも優先して撓むようになる。すなわち、この場合には、嵌合部２１は、外力が加わっていない状態においては撓んでおらず、外力が加わることによって撓んで窪んだ状態となる。
【００２３】
なお、前記嵌合部２１は、面布団２０における後側の縁部に設けられている。具体的には、嵌合部２１は、面金１０に形成された物見Ｘの後方側であって、面布団２０における後側の縁部に設けられている。よって、嵌合部２１は、面布団２０における面金１０に形成された物見Ｘを後方へ延長した領域上に設けられている。
【００２４】
前記一対の面紐３０は、それぞれ面金１０を構成する所定の横金１２に取り付けられている。具体的には、一対の面紐３０は、物見Ｘよりも下側に位置する所定の横金１２に取り付けられている。そして、一対の面紐３０のうちで一方は、その一端側が所定の横金１２の縦金１３よりも左側に取り付けられており、一対の面紐のうちで他方は、その一端側が所定の横金１２の縦金１３よりも右側に取り付けられている。なお、一対の面紐３０は、直接面金１０に取り付けてもよく、耐久性を考慮して革紐等を介して面金１０に取り付けてもよい。
【００２５】
次に、本実施形態に係る剣道用面１００の着用方法を説明する。
【００２６】
本実施形態に係る剣道用面１００を着用する場合には、剣道用面１００を着用者の頭部に被せた状態で、一対の面紐３０の他端側を着用者の後頭部の後側で結び、剣道用面１００が頭部に対してずれないように縛り止める。
【００２７】
具体的には、一対の面紐３０は、先ず、各面紐３０の他端側を後方へ回して後頭部の後側で交差させて引っ張る。この時、面布団２０には、面紐３０に押圧された嵌合部２１が他の部分より優先して撓むことによって窪みが形成され、これにより、面紐３０が嵌合部２１へ嵌り込む（図１参照）。続いて、各面紐３０の他端側を一度前方へ回して面金１０の最も上方に配置される横金１２と枠体１１との間の隙間に通して交差させて引っ張る。最後に、各面紐３０の他端側を再度後方へ回し、後頭部の後側で引っ張った状態で結ぶ。
【００２８】
このように構成すれば、一対の面紐３０を結ぶ過程において、各面紐３０に押圧された嵌合部２１が自然と撓んで窪み、これにより、各面紐３０が自然と嵌合部２１に嵌り込み、これにより、各面紐３０が面布団２０に対して正しい位置に沿って延びる。その結果、従来の剣道用面１００と同様に着用するだけで正しく装着できる。
【００２９】
＜実施形態２＞
本実施形態は、前記実施形態１に係る剣道用面１００の嵌合部２１の変形例である。なお、本実施形態の剣道用面１００は、前記実施形態１に係る剣道用面１００と嵌合部２１の構成が異なるだけで他は同一の構成となっている。
【００３０】
本実施形態に係る剣道用面１００の嵌合部２１は、面布団２０における後側の周縁を前方側へ凹ませた部分によって形成されている。具体的には、嵌合部２１は、面布団２０における後側の周縁における物見Ｘと略同じ高さ位置に当たる部分を略Ｕ字状に凹ませて形成されている。
【００３１】
このようなものであれば、各面紐３０の他端側を後方へ回して後頭部の後側で交差させて引っ張った場合に、各面紐３０は、面布団２０における後側の周縁に沿って摺動するが、この時、各面紐３０が自然と嵌合部２１に嵌り込み、これにより、各面紐３０が面布団２０に対して正しい位置に沿って延びる。その結果、従来の剣道用面１００と同様に着用するだけで正しく装着できる。
【００３２】
なお、本実施形態においては、嵌合部２１を略Ｕ字状の凹みとしているが、これに限定されることなく、例えば、略Ｖ字状の凹みとしてもよい。また、嵌合部２１の凹みを浅くすることにより、嵌合部２１を目立たなくすることができる。
【００３３】
＜その他の実施形態＞
前記実施形態１においては、面布団２０の一部に芯材２０ｂが設けられていない部分を形成し、この部分を嵌合部２１としているが、これに限定されず、面布団２０の一部に他の部分よりも柔軟性が高い芯材２０ｂを設け、この部分を嵌合部２１としてもよい。
【００３４】
また、前記実施形態１における嵌合部２１は、面布団２０における面金１０に形成された物見Ｘを後方へ延長した領域上であって、面布団２０における後側の縁部に設けているが、当該領域全体に亘って延びるように設けてもよい。
【００３５】
その他、本発明は前記各実施形態に限られず、その趣旨を逸脱しない範囲で種々の変形が可能であるのは言うまでもない。
【符号の説明】
【００３６】
１００  剣道用面
１０  面金
１１  枠体
１２  横金
１３  縦金
２０  面布団
２０ａ  布地
２０ｂ  芯材
２１  嵌合部
３０  面紐
４０  垂れ
【図１】
2019187760.tif 000003
【図２】
2019187760.tif 000004
【図３】
2019187760.tif 000005
【図４】
2019187760.tif 000006
【手続補正書】
【提出日】平成30年12月21日(2018.12.21)
【手続補正１】
【補正対象書類名】特許請求の範囲
【補正対象項目名】全文
【補正方法】変更
【補正の内容】
【特許請求の範囲】
【請求項１】
着用者の顔面を保護する面金と、
前記面金から前記着用者の少なくとも頭頂部及び両側頭部を保護するように後方へ延びる面布団と、
前記面金に一端側が取り付けられ、その他端側が前記着用者の後頭部の後側で結ばれる少なくとも一対の面紐とを備え、
前記面布団が、前記一対の面紐を結ぶ過程で当該各面紐が嵌り込む嵌合部を有しており、
前記嵌合部が、前記面布団における後方側の周縁を前方へ凹状に切り欠いて形成した部分であることを特徴とする剣道用面。
【請求項２】
着用者の顔面を保護する面金と、
前記面金から前記着用者の少なくとも頭頂部及び両側頭部を保護するように後方へ延びる面布団と、
前記面金に一端側が取り付けられ、その他端側が前記着用者の後頭部の後側で結ばれる少なくとも一対の面紐とを備え、
前記面布団が、前記一対の面紐を結ぶ過程で当該各面紐が嵌り込む嵌合部を有しており、
前記嵌合部が、前記面布団における他の部分よりも柔軟性が高い部分であることを特徴とする剣道用面。
【請求項３】
前記面金が、前記着用者の目の高さに位置する一対の横金によって形成される物見を有しており、
前記嵌合部が、前記面布団における前記物見の後方側に設けられている請求項１又は２のいずれかに記載の剣道用面。
【請求項４】
前記嵌合部が、前記面布団における後側の縁部に設けられている請求項２又は３のいずれかに記載の剣道用面。
【請求項５】
前記面布団が、表裏の布地の間に芯材を挟んで縫合したものであり、
前記嵌合部が、前記面布団における前記芯材が挟まれていない部分である請求項２乃至４のいずれかに記載の剣道用面。